【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
位置タグであって、
位置情報を格納するように構成されているメモリと、
少なくとも１つの無線周波数アンテナと、
前記少なくとも１つの無線周波数アンテナに結合されている受信機回路であって、前記少なくとも１つの無線周波数アンテナを介して制御信号および位置要求信号を受信し、前記位置要求信号に応答して位置情報を収容した信号を前記少なくとも１つの無線周波数アンテナを介して送出するように構成されている受信機回路と、
を備えており、前記メモリが、前記制御信号に応答して位置情報を格納し、前記位置要求信号に応答して位置情報を呼び出すように構成されている、位置タグ。
【請求項２】
請求項１記載の位置タグにおいて、前記メモリが格納する前記位置情報は、前記位置タグの位置に関連する位置座標を含む、位置タグ。
【請求項３】
請求項１記載の位置タグにおいて、前記メモリが格納する前記位置情報は、意図した受信側の識別を含む、位置タグ。
【請求項４】
請求項１記載の位置タグにおいて、前記メモリが格納する前記位置情報は、前記位置情報が前記メモリに格納された時刻に関連するタイムスタンプを含む、位置タグ。
【請求項５】
請求項１記載の位置タグにおいて、前記メモリが格納する前記位置情報は、外部測地システムに基づく位置座標を含む、位置タグ。
【請求項６】
請求項１記載の位置タグにおいて、前記メモリが格納する前記位置情報は、建物に関連する位置座標を含む、位置タグ。
【請求項７】
請求項１記載の位置タグにおいて、前記メモリが格納する前記位置情報は、サンプル収集現場に関連する位置座標を含む、位置タグ。
【請求項８】
請求項１記載の位置タグにおいて、前記メモリが格納する前記位置情報は、前記位置タグに装着されている対象があるルートを横断した時間期間の間に、前記対象が到達した多数の位置の位置座標を含む、位置タグ。
【請求項９】
請求項１記載の位置タグにおいて、前記メモリは、１つの位置に関する情報の格納に十分な大きさを有する、位置タグ。
【請求項１０】
請求項１記載の位置タグにおいて、前記メモリが格納する前記位置情報は、前記位置タグに装着されている対象の目的地アドレスを含む、位置タグ。
【請求項１１】
請求項１記載の位置タグにおいて、前記メモリは、１つ以上のポインタを用いて位置基準を指し示すことによって、位置情報を格納する、位置タグ。
【請求項１２】
請求項１記載の位置タグにおいて、前記メモリは、絶対位置基準を格納することによって、位置情報を格納する、位置タグ。
【請求項１３】
請求項１記載の位置タグであって、更に、前記メモリおよび前記受信機に結合されている制御部を備えており、該制御部は、前記制御信号に応答して位置情報を格納し、前記位置要求信号に応答して位置情報を呼び出すことを前記メモリに命令するように構成されている、位置タグ。
【請求項１４】
請求項１記載の位置タグにおいて、前記メモリが格納する前記位置情報は、米国国防省が管理する全地球測地システム（ＧＰＳ）がブロードキャストする位置座標を含む、位置タグ。
【請求項１５】
位置タグ・プログラマであって、
少なくとも１つの無線周波数アンテナと、
前記少なくとも１つの無線周波数アンテナを介して、外部位置基準システムから位置情報無線信号を受信するように構成されている受信機と、
前記受信機に結合され、前記外部位置基準システムから受信した前記位置情報の前記位置タグにおける格納のため、前記少なくとも１つの無線周波数アンテナを介して位置情報制御信号を位置タグに送信するように構成されたタグ・プログラム送信機と、
を備えている、位置タグ・プログラマ。
【請求項１６】
請求項１５記載の位置タグ・プログラマにおいて、前記受信機は、米国国防省が管理する全地球測地システム（ＧＰＳ）からの位置情報無線信号を、前記外部位置基準システムとして受信するように構成されている、位置タグ・プログラマ。
【請求項１７】
請求項１５記載の位置タグ・プログラマにおいて、前記タグ・プログラマ送信機は、更に、前記外部位置基準システムから受信した前記位置情報を第２位置タグ・プログラマに格納するため、位置情報制御信号を前記少なくとも１つの無線周波数アンテナを介して前記第２位置タグ・プログラマに送信するように構成されている、位置タグ・プログラマ。
【請求項１８】
請求項１５記載の位置タグ・プログラマであって、更に、位置情報に手作業の入力を提供するように構成されたローカル入力部を備えている、位置タグ・プログラマ。
【請求項１９】
請求項１５記載の位置タグ・プログラマであって、更に、前記受信機および前記タグ・プログラム送信機を含む前記位置タグ・プログラマの構成要素に電力を供給するバッテリを備えている、位置タグ・プログラマ。
【請求項２０】
請求項１５記載の位置タグ・プログラマにおいて、前記タグ・プログラム送信機は、更に、前記外部位置基準システムから受信した前記位置情報を格納するように構成されている、位置タグ・プログラマ。
【請求項２１】
位置タグ・プログラマであって、
少なくとも１つの無線周波数アンテナと、
入力デバイスに着脱可能に結合するように構成されているアダプタであって、前記入力デバイスが位置情報を前記位置タグ・プログラマに入力するように構成されている、アダプタと、
前記受信機に結合され、前記入力デバイスから受け取った前記位置情報を位置タグに格納するために前記少なくとも１つの無線周波数アンテナを介して位置情報制御信号を前記位置タグに送信するように構成されているタグ・プログラム送信機と、
を備えている位置タグ・プログラマ。
【請求項２２】
請求項２１記載の位置タグ・プログラマにおいて、前記アダプタは、前記入力デバイスとして、キーパッドに着脱可能に結合するように構成されている、位置タグ・プログラマ。
【請求項２３】
請求項２１記載の位置タグ・プログラマにおいて、前記アダプタは、前記入力デバイスとして受信機に着脱可能に結合するように構成され、前記受信機は、外部位置基準システムから位置情報無線信号を受信するように構成されている、位置タグ・プログラマ。
【請求項２４】
位置タグ・リーダであって、
少なくとも１つの無線周波数アンテナと、
前記少なくとも１つの無線周波数アンテナに結合され、前記少なくとも１つの無線周波数アンテナを介して位置情報要求信号を位置タグに送信するように構成されている送信機と、
前記少なくとも１つの無線周波数アンテナに結合され、前記送信機によって前記位置タグに送られた前記位置情報要求信号を通じて要求された位置情報を収容する信号を、前記位置タグから受信するように構成されている受信機と、
を備えている、位置タグ・リーダ。
【請求項２５】
請求項２４記載の位置タグ・リーダであって、更に、前記位置タグに装着されている移動対象の、前記位置タグによる、ルート記録に関して、前記位置タグからの、多数の位置に関する位置情報とこれに関連するタイムスタンプとを格納するように構成されているメモリを備えている、位置タグ・リーダ。
【請求項２６】
無線周波数識別（ＲＦＩＤ）タグをプログラミングする方法であって、
外部測地システムから位置情報を受信するステップと、
前記位置情報を前記ＲＦＩＤタグに格納するため、無線信号を通じて制御命令と前記位置情報とを前記ＲＦＩＤタグに送るステップと、
を備えている、方法。
【請求項２７】
請求項２６記載の方法において、前記受信するステップは、更に、米国国防省が管理する全地球測地システム（ＧＰＳ）からの位置情報を受信することを含む、方法。
【請求項２８】
収集現場における位置を各々有する複数のサンプルに対し、位置的にラベル付け方法であって、
前記収集現場において位置的にラベル付けされるべき各サンプルに対し、位置タグを装着するステップと、
位置的にラベル付けされるべき各サンプルに関連する位置情報を受信するステップと、
位置的にラベル付けされるべきサンプルに装着した各位置タグに、その装着したサンプルに関連する受信位置情報をプログラムし、各位置タグが、その装着したサンプルに関連する前記受信位置情報を格納するようにするステップと、
を備えている、方法。
【請求項２９】
請求項２８記載の方法において、前記位置タグのうち、その装着されたサンプルに関連する１つに格納されている前記受信位置情報は、位置的にラベル付けされるべき他のサンプルの収集現場位置に対する位置座標を含む、方法。
【請求項３０】
請求項２８記載の方法において、受信するステップは、更に、米国国防省が管理する全地球測地システム（ＧＰＳ）からの位置情報を受信することを含む、方法。
【請求項３１】
対象に対し区域に関する位置案内を提供する方法であって、
前記区域内の固定位置に位置タグを分散するステップと、
前記区域内の各固定位置に関連する位置情報を受信するステップと、
各位置タグをプログラムして、その固定位置に関連する受信位置情報を格納するステップと、
前記区域内の固定位置に分散した前記位置タグに格納されている受信位置情報に基づいて、前記区域内における前記対象の移動を指示するステップと、
を含む、方法。
【請求項３２】
請求項３１記載の方法であって、更に、起点から情報要求信号を送るステップを含み、前記信号は、前記位置タグが前記起点から所定の最大距離以内に位置するときに、分散した位置タグによって受信されるように構成されている、方法。
【請求項３３】
請求項３１記載の方法において、前記プログラミングは、更に、前記区域内の他の固定位置に対する位置座標を有する前記受信位置情報を含む、方法。
【請求項３４】
請求項３１記載の方法において、前記区域内における前記対象の移動を指示するステップは、更に、人に理解可能な命令を供給することを含む、方法。
【請求項３５】
請求項３１記載の方法において、前記区域内における前記対象の移動を指示するステップは、更に、ロボットに理解可能な命令を供給することを含む、方法。
【請求項３６】
請求項３１記載の方法において、前記区域内における前記対象の移動を指示するステップは、更に、車両に理解可能な命令を供給することを含む、方法。
【請求項３７】
請求項３１記載の方法において、受信するステップは、更に、米国国防省が管理する全地球測地システム（ＧＰＳ）からの位置情報を受信することを含む、方法。
【請求項３８】
対象によるルートに沿った移動を記録する方法であって、
前記ルートに沿った位置に、位置タグ・プログラマを分散するステップと、
前記分散した位置タグ・プログラマの各々をプログラムして、該分散した位置タグ・プログラマの位置に関するローカル位置情報を格納するステップと、
位置タグを前記対象に装着するステップであって、該位置タグが、複数の位置に関する位置情報を格納するように構成されている、ステップと、
前記位置タグが前記位置タグ・プログラマの範囲内を通過する際に、前記位置タグ・プログラマの各々に格納されている前記ローカル位置情報を前記位置タグに格納するように前記位置タグをプログラムするステップと、
前記位置タグが前記位置タグ・プログラマの範囲内を通過した時刻に関連するタイムスタンプを前記位置タグに格納するように、前記分散した位置タグ・プログラマの各々を用いて前記位置タグをプログラムするステップと、
を備えた方法。
【請求項３９】
請求項３８記載の方法であって、更に、前記対象が前記ルートの少なくとも一部の移動を完了した後に、前記位置タグに格納されている前記ローカル位置情報およびタイムスタンプを読み取るステップを含む、方法。
【請求項４０】
請求項３８記載の方法において、前記分散した位置タグ・プログラムの各々のプログラミングは、更に、前記ルートに沿った他の位置に関する位置座標に基づくローカル位置情報を含む、方法。
【請求項４１】
請求項３８記載の方法において、前記分散した位置タグ・プログラマの各々のプログラミングは、更に、米国国防省が管理する全地球測地システム（ＧＰＳ）からの位置情報に基づいたローカル位置情報を含む、方法。
【請求項４２】
経路によって互いに接続され、各々多数の経路に接続されているブランチ・ノードのネットワークを通じて、起点から所与の目的地まで対象をルーティングする方法であって、
前記所与の目的地に関する位置情報を格納するように、位置タグをプログラミングするステップと、
前記位置タグを前記対象に装着するステップと、
前記対象がブランチ・ノードに到達したときに、無線信号を通じて、前記位置タグに格納されている前記所与の目的地の前記位置情報を要求し、受信するステップと、
前記受信した位置情報により前記ブランチ・ノードが前記所与の目的地でない場合、前記受信した位置情報にしたがった別のブランチ・ノードに前記対象を送り出すステップと、
を備えた方法。
【請求項４３】
請求項４２記載の方法であって、更に、前記受信した位置情報に応じて、更にオペレーションズ・リサーチの原理にしたがって、前記対象を別のブランチ・ノードに送り出すステップを含む、方法。
【請求項４４】
請求項４２記載の方法であって、更に、対象群に装着されている位置タグから無線信号を通じて受信した前記対象群の目的地に関する位置情報にしたがって、前記対象群をソートするステップを含む、方法。
【請求項４５】
対象位置情報システムであって、
位置タグであって、
位置情報を格納するように構成されているメモリと、
少なくとも１つの無線周波数アンテナと、
前記少なくとも１つの無線周波数アンテナに結合されている受信機回路であって、該受信機回路は、前記少なくとも１つの無線周波数アンテナを介して制御信号および位置要求信号を受信し、前記位置要求信号に応答して、前記少なくとも１つの無線周波数アンテナを介して、位置情報を収容した信号を送るように構成されており、前記メモリが、前記制御信号に応答して位置情報を格納し、前記位置要求信号に応答して位置情報を呼び出すように構成されている、受信機回路と、
を含む、位置タグと、
位置タグ・プログラマであって、
少なくとも１つの無線周波数アンテナと、
前記少なくとも１つの無線周波数アンテナを介して、外部位置基準システムからの位置情報無線信号を受信するように構成されている受信機と、
前記受信機に結合されており、前記外部位置基準システムから受信した前記位置情報の位置タグにおける格納のため、前記少なくとも１つの無線周波数アンテナを介して位置情報制御信号を前記位置タグに送信するように構成されたタグ・プログラム送信機と、
を含む、位置タグ・プログラムと、
を備えている、システム。
【請求項４６】
対象位置情報システムであって、
位置タグであって、
位置情報を格納するように構成されているメモリと、
少なくとも１つの無線周波数アンテナと、
前記少なくとも１つの無線周波数アンテナに結合されている受信機回路であって、該受信機回路は、前記少なくとも１つの無線周波数アンテナを介して制御信号および位置要求信号を受信し、前記位置要求信号に応答して前記少なくとも１つの無線周波数アンテナを介して、位置情報を収容する信号を送るように構成されており、前記メモリは、前記制御信号に応答して位置情報を格納し、前記位置要求信号に応答して位置情報を呼び出すように構成されている、受信機回路と、
を含む、位置タグと、
位置タグ・プログラマであって、
少なくとも１つの無線周波数アンテナと、
入力デバイスに着脱可能に結合するように構成されているアダプタであって、前記入力デバイスが前記位置タグ・プログラマに位置情報を入力するように構成されている、アダプタと、
前記受信機に結合され、前記入力デバイスから受け取った前記位置情報の前記位置タグにおける格納のため、前記少なくとも１つの無線周波数アンテナを介して位置情報制御信号を前記位置タグに送信するように構成されたタグ・プログラム送信機と、
を含む、位置タグ・プログラマと、
を備えているシステム。
【請求項４７】
対象位置情報システムであって、
位置タグであって、
位置情報を格納するように構成されているメモリと、
少なくとも１つの無線周波数アンテナと、
前記少なくとも１つの無線周波数アンテナに結合されている受信機回路であって、該受信機回路は、前記少なくとも１つの無線周波数アンテナを介して制御信号および位置要求信号を受信し、前記位置要求信号に応答して前記少なくとも１つの無線周波数アンテナを介して、位置情報を収容する信号を送るように構成されており、前記メモリは、前記制御信号に応答して位置情報を格納し、前記位置要求信号に応答して位置情報を呼び出すように構成されている、受信機回路と、
を含む、位置タグと、
位置タグ・リーダであって、
少なくとも１つの無線周波数アンテナと、
前記少なくとも１つの無線周波数アンテナに結合され、前記少なくとも１つの無線周波数アンテナを介して位置情報要求信号を位置タグに送信するように構成されている送信機と、
前記少なくとも１つの無線周波数アンテナに結合され、前記送信機によって前記位置タグに送られた前記位置情報要求信号を通じて、前記位置タグから、要求した位置情報を収容する信号を受信するように構成されている受信機と、
を含む、位置タグ・リーダと、
を備えている、システム。